(57)【要約】【課題】  放送番組と携帯電話が持つ機能とを連動させることにより、放送番組をより楽しむことのできるサービスを提供する。【解決手段】携帯電話端末を用いた放送番組連動型演出システムは、放送番組と連動して作成される携帯電話端末が持つバイブレータの振動パターンデータを配信するコンテンツサーバと、配信された振動パターンデータに基づき自身が持つバイブレータを制御する携帯電話端末で構成される。【選択図】      図１
2005333365.tif 000002
【特許請求の範囲】
【請求項１】
振動を発生するバイブレータと、
放送番組の所定の場面の時刻と前記バイブレータの振動とを対応付けた振動パターンデータを記憶する振動パターンデータ記憶部と、
前記記憶部から前記振動パターンデータを読み出し、前記時刻に基づいて前記バイブレータを制御するバイブレータ制御部と、
を具備することを特徴とする携帯電話端末。
【請求項２】
前記振動パターンデータを、通信ネットワークを介して接続されるコンテンツサーバから取得する振動パターンデータ取得部と、
を具備することを特徴とする請求項１に記載の携帯電話端末。
【請求項３】
前記コンテンツサーバが管理する時刻に同期して前記バイブレータ制御部を制御するタイマ監視部と、
を具備することを特徴とする請求項１または２に記載の携帯電話端末。
【請求項４】
前記振動パターンデータ記憶部は、チャンネルに対応させて前記振動パターンデータを記憶し、
ユーザから受信チャンネルの指示があったとき、前記振動パターンデータ記憶部を参照し、指示されたチャンネルに該当する振動パターンデータを読み出して前記バイブレータ制御部へ供給する振動パターンデータ切替部と、
を具備することを特徴とする請求項１〜３のいずれか１項に記載の携帯電話端末。
【請求項５】
放送番組の所定の場面の時刻と携帯電話端末が有するバイブレータの振動とを対応付けた振動パターンデータを配信するコンテンツサーバと、
前記コンテンツサーバとは通信ネットワークを介して接続され、前記配信された振動パターンデータに基づき自身が有するバイブレータを制御する携帯電話端末と、
を具備することを特徴とする携帯電話端末を用いた放送番組連動型演出システム。
【請求項６】
バイブブレータを有する携帯電話端末に用いられる端末プログラムであって、
放送番組の所定の場面の時刻と前記バイブレータの振動とを対応付けた振動パターンデータを記憶する処理と、
前記記憶された振動パターンデータを読み出し、前記時刻に基づいて前記バイブレータを制御する処理と、
をコンピュータに実行させる端末プログラム。
【請求項７】
バイブブレータを有する携帯電話端末に用いられるプログラムを記録したコンピュータ読み取り可能な記録媒体であって、
放送番組の所定の場面の時刻と前記バイブレータの振動とを対応付けた振動パターンデータを記憶する処理と、
前記記憶された振動パターンデータを読み出し、前記時刻に基づいて前記バイブレータを制御する処理と、
をコンピュータに実行させるプログラムを記録した記録媒体。
【発明の詳細な説明】
【技術分野】
【０００１】
本発明は、放映中の放送番組と連動して内蔵バイブブレータを制御する、携帯電話端末、および同端末を用いた放送番組連動型演出システム、ならびに端末プログラム、同プログラムを記録した記録媒体に関する。
【背景技術】
【０００２】
放送局が提供する番組に対して付加的な情報を提供する方法として、例えば、ＢＳデジタル放送が提供する文字放送、あるいは、インターネットを利用したストリーミングにより画像情報およびその付加情報をサーバからダウンロード提供する方法が知られている。
また、放送番組の中に組み込まれる利用者サービス情報を携帯電話等の携帯端末に配信する放送番組連動型情報配信システムも知られている（例えば、特許文献１参照）。
【特許文献１】特開２００３−１２２６７９号公報
【発明の開示】
【発明が解決しようとする課題】
【０００３】
一方、上記した番組放送において、単なる情報提供サービスとは別に、よりユーザの興味をひくサービスの提供が要求されており、例えば、携帯電話が持つ機能を活用し、画面に放映される放送番組と連動して演出効果を得たいという要望がある。しかしながら、上記した特許文献を含む従来技術によれば、放送番組とサービス情報との間に内容的な関連性がないため、そのような要望を実現することはできなかった。
【０００４】
本発明は上記事情に基づいてなされたものであり、放送番組と携帯電話が持つ機能とを連動させることにより、放送番組をより楽しむことのできる、携帯電話端末、および同端末を用いた放送番組連動型演出システム、ならびに端末プログラム、同プログラムを記録した記録媒体を提供することを目的とする。
【課題を解決するための手段】
【０００５】
上記した課題を解決するために本発明の一実施形態は、振動を発生するバイブレータと、放送番組の所定の場面の時刻と前記バイブレータの振動とを対応付けた振動パターンデータを記憶する振動パターンデータ記憶部と、前記記憶部から前記振動パターンデータを読み出し、前記時刻に基づいて前記バイブレータを制御するバイブレータ制御部と、を具備することを特徴とする携帯電話端末である。
【０００６】
また、上記した本発明の一実施形態において、前記振動パターンデータを、通信ネットワークを介して接続されるコンテンツサーバから取得する振動パターンデータ取得部と、を具備しても良い。
【０００７】
また、上記した本発明の一実施形態において、前記コンテンツサーバが管理する時刻に同期して前記バイブレータ制御部を制御するタイマ監視部と、を具備しても良い。
【０００８】
また、上記した本発明の一実施形態において、前記振動パターンデータ記憶部は、チャンネルに対応させて前記振動パターンデータを記憶し、ユーザから受信チャンネルの指示があったとき、前記振動パターンデータ記憶部を参照し、指示されたチャンネルに該当する振動パターンデータを読み出して前記バイブレータ制御部へ供給する振動パターンデータ切替部と、を具備しても良い。
【０００９】
また、本発明の一実施形態は、放送番組の所定の場面の時刻と携帯電話端末が有するバイブレータの振動とを対応付けた振動パターンデータを配信するコンテンツサーバと、前記コンテンツサーバとは通信ネットワークを介して接続され、前記配信された振動パターンデータに基づき自身が有するバイブレータを制御する携帯電話端末と、を具備することを特徴とする携帯電話端末を用いた放送番組連動型演出システムである。
【００１０】
また、本発明の一実施形態は、バイブブレータを有する携帯電話端末に用いられる端末プログラムであって、放送番組の所定の場面の時刻と前記バイブレータの振動とを対応付けた振動パターンデータを記憶する処理と、前記記憶された振動パターンデータを読み出し、前記時刻に基づいて前記バイブレータを制御する処理と、をコンピュータに実行させることを特徴とする。
【００１１】
また、本発明の一実施形態は、バイブブレータを有する携帯電話端末に用いられるプログラムを記録したコンピュータ読み取り可能な記録媒体であって、放送番組の所定の場面の時刻と前記バイブレータの振動とを対応付けた振動パターンデータを記憶する処理と、前記記憶された振動パターンデータを読み出し、前記時刻に基づいて前記バイブレータを制御する処理と、をコンピュータに実行させるプログラムを記録したことを特徴とする。
【発明の効果】
【００１２】
本発明によれば、放送番組と携帯電話が持つバイブレータとを連動させることにより放送番組の演出効果を高めることができ、ユーザは、ＴＶ画面に表示される放送番組を、臨場感をもってより楽しむことができる。
【発明を実施するための最良の形態】
【００１３】
図１は、本発明の一実施形態に係わる放送番組連動型演出システムのシステム構成を説明するために引用した図である。
図１において、符号１は、携帯電話端末であり、バイブレータ１０を内蔵し、赤外線によるチャンネルリモコン機能を持つ。携帯電話端末１が持つチャンネルリモコン機能については、例えば、特開２００３−７８９７７号公報により周知である。ここでは、携帯電話端末１は、放映中の放送番組と連動して内蔵するバイブレータ１０のＯＮ、ＯＦＦを制御する機能を持つ。
なお、符号２は、放送番組が放映されるＴＶ受像機である。
【００１４】
符号３は、コンテンツプロバイダが管理するコンテンツサーバであり、放送番組と連動するための携帯電話端末１が内蔵するバイブレータ１０の振動パターンデータが保存され、携帯端末１からの要求に基づきその配信サービスを行う。このため、コンテンツサーバ３は、ＩＰ（Internet Protocol）網５ならびに携帯電話網６、そして、基地局７経由で携帯電話端末１に接続される。
符号４は、放送局に設置される放送システムであり、放送システム４は、放送番組を地上波等により家庭内のＴＶ受像機２に放映する。また、放送システム４は、ＩＰ網５を介してコンテンツサーバ３に接続され、両者間で時刻の同期や番組情報等のやりとりが行われても良い。
【００１５】
図２は、図１に示す本発明実施形態の携帯電話端末１の内部構成を機能展開して示したブロック図である。
本発明実施形態に係わる携帯電話端末１は、振動パターンデータ記憶部１１と、バイブレータ制御部１２と、振動パターンデータ取得部１３と、振動パターン切替部１４と、タイマ設定監視部１５と、チャンネル（ＣＨ）変更検出部１６と、ＣＨ指示出力部１７と、ＣＨ指示部１８で構成される。
【００１６】
振動パターンデータ記憶部１１には、コンテンツサーバ３から配信される、放送番組と連動するためのバイブレータ１０の振動パターンデータが格納される。ここで、「連動」とは、例えば、放送番組で電話が鳴るシーンでリアルタイムに携帯電話端末１内蔵のバイブレータがＯＮ／ＯＦＦするように動作することをいう。
また、バイブレータ制御部１２は、振動パターンデータ記憶部１１から振動パターンデータを読み出し、バイブレータ１０のＯＮ／ＯＦＦを制御する機能を持つ。
【００１７】
一方、振動パターンデータ取得部１３は、振動パターンデータを、ＩＰ網５を介して接続されるコンテンツサーバ３から取得する機能を持ち、また、振動パターン切替部１４は、ユーザから受信チャンネルの変更指示があったとき、振動パターンデータ記憶部１１を参照し、変更先の放送番組に該当する振動パターンデータを読み出してバイブレータ制御部１２へ供給する機能を持つ。
【００１８】
なお、タイマ設定監視部１５は、コンテンツサーバ３が管理する時刻に同期してバイブレータ制御部１２を制御する機能を持ち、また、ＣＨ変更検出部１６は、チャンネルリモコン機能によってユーザからの受信チャンネルの変更指示を検出して振動パターン切替部１４を起動する機能を持つ。また、ＣＨ指示部１８は、各種キーにより構成され、ユーザからＴＶ受像機２に対する各種指示、例えば、電源のＯＮやＯＦＦ、チャンネル変更等の指示を受付ける。そして、ＣＨ指示出力部１７は、ユーザから受付けた指示に基づいてＴＶ受像機２の赤外線信号を発生する。
【００１９】
図３は、本発明実施形態に係わる放送番組連動型演出システムの動作を示す動作シーケンス図である。ここでは、携帯電話端末１とコンテンツサーバ３間の関係が示されている。
図３において、携帯電話端末１は、まず、コンテンツサーバ３に対してＩＰ網５を介して同期時刻取得要求を発行する（Ｓ３１）。これを受けたコンテンツサーバ３は、要求のあった携帯電話端末１に対して自身が管理している現在時刻データを送信する（Ｓ３２）。このことにより、携帯電話端末１とコンテンツサーバ３は、共通の時刻データを用い同期した動作が可能になる。
【００２０】
続いて、コンテンツサーバ３は、携帯電話端末１に対して振動パターンデータを送信する（Ｓ３３）。振動パターンデータの一例は図４に示されている。
図４に示されるように、振動パターンデータは、チャンネル（ＣＨ１〜ＣＨｎ）毎、放送番組と連動するようにバイブレータ１０の振動パターンが記録されたデータであり、放送時間の所定の場面の時刻に対応付けてバイブレータ１０のＯＮ／ＯＦＦパターンがコンテンツサーバ３のデータベース（図示せず）に保持されている。
この振動パターンデータは、例えば、１週間等、所定の間隔を単位に更新され、携帯電話端末１は、その更新期間内に振動パターンデータの配信要求を発行し（Ｓ３４）、コンテンツサーバ３からその配信を受ける（Ｓ３５）。
【００２１】
図５は、本発明一実施形態に係わる携帯電話端末１の処理手順を示すフローチャートである。以下、図５に示すフローチャートを参照しながら図２に示す携帯電話端末１の動作について詳細に説明する。
ここでは、ユーザが携帯電話端末１のアプリケーションプログラム（以下、単にアプリケーションという）を起動することによってバイブレータ１０による放送番組と連動した演出の動作が可能となる（Ｓ５１）。まず、携帯電話端末１は、コンツンサーバ３から同期のための時刻データを取得し（Ｓ５２）、同時にタイマ設定監視部１５がタイマ設定を行うことで、携帯電話端末１内蔵のバイブレータ１０を動作せるための時刻設定がなされ、以降、コンテンツサーバ３と同期した動作が可能になる（Ｓ５３）。
【００２２】
携帯電話端末１は、更に、振動パターンデータ取得部１３を起動してコンテンツサーバ３から放送番組に連動した振動パターンデータを複数チャンネル分纏めて取得し、振動パターン記憶部１１に保持する（Ｓ５４）。
続いて、アプリケーションが未だ終了しておらず（Ｓ５５、Ｎｏ）、チャンネル指定があったことを確認したとき（Ｓ５６、Ｙｅｓ）、ＣＨ変更検出部１６により起動された振動パターン切替部１４は、振動パターン記憶部１１から該当チャンネル（ここでは、ＣＨ１とする）の振動パターンデータを読み出してバイブレータ制御部１２へ供給する（Ｓ５７、Ｓ５８）。
【００２３】
バイブレータ制御部１２は、タイマ設定監視部１５による時間監視信号を得、バイブレータ１０をＯＮする時刻（ここでは、時刻２１：１０：００）に達したときにバイブレータ１０を制御し（Ｓ５９）、そのＯＮ／ＯＦＦパターンに従う振動制御を行う（Ｓ６０）。
一方、チャンネル指定がない場合（Ｓ５６、Ｎｏ）には、バイブレータ制御部１２は、バイブレータ１０をＯＮする時刻に達したときにバイブレータ１０を制御し（Ｓ５９）、そのＯＮ／ＯＦＦパターンに従う振動制御を行う。
以上の処理（Ｓ５５〜Ｓ６０）は、アプリケーションが終了するまで（Ｓ５５、Ｙｅｓ）繰り返し行われる。
【００２４】
なお、バイブレータ１０の振動については、上記した電話が鳴るシーンの他に、怖い場面に発動させる等、恐怖を煽るシーンで用いれば一層臨場感を増すことができ、演出効果が高まる。
【００２５】
以上説明のように本発明は、放送番組と携帯電話が持つバイブレータとを連動させることにより、画面上のみならず、携帯電話端末１が内蔵するバイブレータ１０を活用して放送番組の演出効果を高めるものであり、ユーザは、臨場感をもって放送番組を楽しむことができる。
なお、図２に示す、バイブレータ制御部１２と、振動パターンデータ取得部１３と、振動パターン切替部１４と、タイマ設定監視部１５と、ＣＨ変更検出部１６と、ＣＨ指示出力部１７と、ＣＨ指示部１８のそれぞれで実行される手順を含むプログラムをコンピュータ読み取り可能な記録媒体に記録し、この記録媒体に記録されたプログラムをコンピュータシステムを含む携帯電話端末に読み込ませ、実行することによって本発明の携帯電話端末を実現することができる。ここでいうコンピュータシステムとは、ＯＳや周辺機器等のハードウェアを含む。
【００２６】
また、「コンピュータシステム」は、ＷＷＷシステムを利用している場合であれば、ホームページ提供環境（あるいは表示環境）も含むものであってもよい。また、「コンピュータ読取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のシステムやクライアントとなるコンピュータシステム内部の揮発性メモリ（ＲＡＭ）のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００２７】
以上、この発明の実施形態につき、図面を参照して詳述してきたが、具体的な構成はこの実施形態に限られるものではなく、この発明の要旨を逸脱しない範囲の設計等も含まれる。
【図面の簡単な説明】
【００２８】
【図１】本発明実施形態に係わる携帯電話端末を用いた放送番組連動型演出システムのシステム構成の一例を示す図である。
【図２】本発明実施形態に係わる携帯電話端末の内部構成を機能展開して示したブロック図である。
【図３】本発明実施形態に係わる携帯電話端末を用いた放送番組連動型演出システムの動作シーケンス図である。
【図４】本発明実施形態において使用される振動パターンデータの一例を示す図である。
【図５】本発明実施形態に係わる携帯電話端末の処理の流れを示すフローチャートである。
【符号の説明】
【００２９】
１…携帯電話端末、２…ＴＶ受像機、３…コンテンツサーバ、４…放送システム、５…ＩＰ網、６…携帯電話網、１０…バイブレータ、１１…振動パターン記憶部、１２…バイブレータ制御部、１３…振動パターンデータ取得部、１４…振動パターン切替部、１５…タイマ設定監視部、１６…チャンネル変更検出部
【図１】
2005333365.tif 000003
【図２】
2005333365.tif 000004
【図３】
2005333365.tif 000005
【図４】
2005333365.tif 000006
【図５】
2005333365.tif 000007